(57)【特許請求の範囲】
【請求項１】
着用時に肌側に配置される肌側フロント部と、当該肌側フロント部の外側に重ねて配置される外側フロント部と、当該肌側フロント部および当該外側フロント部の左右側端に縫着される本体部と、当該外側フロント部および当該本体部の上端に縫着されるウエスト部とを備えたボトム衣類であって、
前記肌側フロント部の上端は、前記ウエスト部がある方向に凸となるように形成されると共に前記外側フロント部および前記ウエスト部に縫着されておらず、前記肌側フロント部は、当該肌側フロント部の上端と当該ウエスト部とを繋ぐ伸縮性のある吊り下げ部によって吊り下げられ、前記肌側フロント部の上端と前記吊り下げ部とは、前記肌側フロント部の上端が前記本体部に縫着される位置よりも上下方向において前記ウエスト部に近い位置で接続されており、
前記外側フロント部の下端は、前記肌側フロント部に縫着されておらず、当該肌側フロント部と当該外側フロント部の下端との隙間が、男性器を出し入れすることができる開き部を形成する、ことを特徴とするボトム衣類。
【請求項２】
前記肌側フロント部の上端、前記吊り下げ部、前記ウエスト部、および前記外側フロント部と前記本体部との縫着部によって囲まれる部分には、当該吊り下げ部よりも伸長性が高い布が設けられている、ことを特徴とする請求項１に記載のボトム衣類。
【請求項３】
着用時に肌側に配置される肌側フロント部と、当該肌側フロント部の外側に重ねて配置される外側フロント部と、当該肌側フロント部および当該外側フロント部の左右側端に縫着される本体部と、当該外側フロント部および当該本体部の上端に縫着されるウエスト部とを備えたボトム衣類であって、
前記肌側フロント部の上端は、前記ウエスト部がある方向に凸となるように形成されると共に前記外側フロント部および前記ウエスト部に縫着されておらず、前記肌側フロント部は、当該肌側フロント部の上端と、当該外側フロント部と前記本体部との縫着部と、を繋ぐ伸縮性のある吊り下げ部によって吊り下げられ、前記肌側フロント部の上端と前記吊り下げ部とは、前記肌側フロント部の上端が前記本体部に縫着される位置よりも上下方向において前記ウエスト部に近い位置で接続されており、
前記外側フロント部の下端は、前記肌側フロント部に縫着されておらず、当該肌側フロント部と当該外側フロント部の下端との隙間が、男性器を出し入れすることのできる開き部を形成する、ことを特徴とするボトム衣類。
【請求項４】
前記肌側フロント部の上端、前記吊り下げ部、および前記縫着部によって囲まれる部分には、当該吊り下げ部よりも伸長性が高い布が設けられている、ことを特徴とする請求項３に記載のボトム衣類。
【請求項５】
前記吊り下げ部は、前記肌側フロント部の中心線から離れる方向に向かって、当該肌側フロント部の上端から前記ウエスト部または前記外側フロント部と前記本体部との縫着部まで延びている、ことを特徴とする請求項１〜４の何れか１項に記載のボトム衣類。
【請求項６】
前記外側フロント部の下端は、下方向に凸となるように延在している、ことを特徴とする請求項１〜５の何れか１項に記載のボトム衣類。
【発明の詳細な説明】
【技術分野】
【０００１】
本発明は、ボトム衣類に関するものである。
【背景技術】
【０００２】
着用者が、脱がずに小用を足すことができるように、フロント部において２枚の布を重ね合わせた重ね合わせ部を備え、当該重ね合わせ部における側端の開き部から着用者の陰茎を出し入れ可能なボトム衣類がある。この開き部を使用して小用を足す場合には、外側フロント布と、これに重なり合った肌側フロント布とを引っ張って開き部を開口させて陰茎を取り出す必要があり手間である場合が多い。このような問題を解消するものとして、フロント部の一部に横方向のスリット部分と当該スリット部分を覆う前垂れ布とを備えた男性用パンツが開示されている（特許文献１）。このボトム衣類によれば、外側フロント布および肌側フロント布の両方を引っ張ることなく開き部を開口して、陰茎を取り出すことができる。
【先行技術文献】
【特許文献】
【０００３】
【特許文献１】特開２００４−２５６９７８号公報
【発明の概要】
【発明が解決しようとする課題】
【０００４】
しかしながら、上記従来のボトム衣類においては、開口を大きくできないのでフロント布によって陰茎の下部にある尿道が圧迫され、十分に排尿することができないおそれがあり、残尿によって下着やアウターを汚してしまう場合がある。また、加齢による機能の衰え等が原因で排尿後に慢性的に尿道内に尿が残る症状を抱える者は、手を使い陰嚢の下から搾り出すように排尿することが好ましい。しかしながら、上記従来の男性用パンツでは、陰茎および陰嚢を含む男性器全体を出し入れすることができないので上記搾り出しをすることができない。このため、パンツを膝上まで下げる必要があるが、小便器の前に立った状態でパンツを膝上まで下げて上記搾り出しをすることには抵抗があると思われる。また、開口部を大きくした場合には、陰茎および陰嚢の安定感が低下し、開口部が元の状態に戻りにくくなるという問題が生じる。
【０００５】
本願発明は、このような問題を解決するためになされたものであり、簡易な手順で男性器全体を出し入れすることが可能なボトム衣類を提供する。
【課題を解決するための手段】
【０００６】
本発明のボトム衣類は、着用時に肌側に配置される肌側フロント部と、当該肌側フロント部の外側に重ねて配置される外側フロント部と、当該肌側フロント部および当該外側フロント部の左右側端に縫着される本体部と、当該外側フロント部および当該本体部の上端に縫着されるウエスト部とを備えたボトム衣類であって、肌側フロント部の上端は、外側フロント部およびウエスト部に縫着されておらず、肌側フロント部は、当該肌側フロント部の上端とウエスト部とを繋ぐ伸縮性のある吊り下げ部によって吊り下げられており、外側フロント部の下端は、肌側フロント部に縫着されておらず、当該肌側フロント部と外側フロント部の下端との隙間が、男性器を出し入れすることができる開き部を形成することを特徴とする。
【０００７】
このボトム衣類によれば、肌側フロント部の上端が外側フロント部およびウエスト部に縫着されておらず実質的に自由端であり、肌側フロント部が伸縮性のある吊り下げ部によって吊り下げられているので、肌側フロント部の上端は、外側フロント部の下端の位置よりも下方にまで容易に大きく押し下げられる。これにより、肌側フロント部と外側フロント部との間に上下方向の空間が大きく確保される。さらに、肌側フロント部の上端が押し下げられても、男性器を保持した状態を維持するので、着用者は、男性器を手で支えることなく、肌側フロント部の上端を押し下げるだけで開き部から男性器を出すことができ、その状態を維持することができる。また、肌側フロント部は、伸縮性のある吊り下げ部によってウエスト部に吊り下げられているので、ウエスト部を引き上げるだけで肌側フロント部が元の位置に戻り、男性器を元の位置に戻すことができる。この結果、簡易な手順で男性器全体を出し入れすることが可能となる。
【０００８】
本発明のボトム衣類は、肌側フロント部の上端、吊り下げ部、ウエスト部、および外側フロント部と本体部との縫着部によって囲まれる部分には、当該吊り下げ部よりも伸長性が高い布が設けることができる。
【０００９】
このボトム衣類によれば、肌側フロント部の上端、吊り下げ部、ウエスト部、および外側フロント部と本体部との縫着部によって囲まれる部分に設けられる布は、吊り下げ部よりも伸長性が高いので、肌側フロント部の動きを阻害することはない。この囲まれる部分に布を設けることにより、着用時または脱衣時における足や男性器の引っかかりを低減することが可能となる。
【００１０】
本発明のボトム衣類は、着用時に肌側に配置される肌側フロント部と、当該肌側フロント部の外側に重ねて配置される外側フロント部と、当該肌側フロント部および当該外側フロント部の左右側端に縫着される本体部と、当該外側フロント部および当該本体部の上端に縫着されるウエスト部とを備えたボトム衣類であって、肌側フロント部の上端は、外側フロント部およびウエスト部に縫着されておらず、肌側フロント部は、当該肌側フロント部の上端と、外側フロント部と本体部との縫着部と、を繋ぐ伸縮性のある吊り下げ部によって吊り下げられており、外側フロント部の下端は、肌側フロント部に縫着されておらず、当該肌側フロント部と当該外側フロント部の下端との隙間が、男性器を出し入れすることのできる開き部を形成することを特徴とする。
【００１１】
このボトム衣類によれば、肌側フロント部の上端が外側フロント部およびウエスト部に縫着されておらず実質的に自由端であり、肌側フロント部が伸縮性のある吊り下げ部によって吊り下げられているので、肌側フロント部の上端は、外側フロント部の下端の位置よりも下方にまで容易に大きく押し下げられる。これにより、肌側フロント部と外側フロント部との間に上下方向の空間が大きく確保される。さらに、肌側フロント部の上端が押し下げられても、男性器を保持した状態を維持するので、着用者は、男性器を手で支えることなく、肌側フロント部の上端を押し下げるだけで開き部から男性器を出すことができ、その状態を維持することができる。また、肌側フロント部は、伸縮性のある吊り下げ部によって、ウエスト部に一体に縫着された外側フロント部と本体部との縫着部に吊り下げられているので、ウエスト部を引き上げるだけで肌側フロント部が元の位置に戻り、男性器を元の位置に戻すことができる。この結果、簡易な手順で男性器全体を出し入れすることが可能となる。
【００１２】
本発明のボトム衣類は、肌側フロント部の上端、吊り下げ部、および縫着部によって囲まれる部分には、当該吊り下げ部よりも伸長性が高い布が設けることができる。
【００１３】
このボトム衣類によれば、肌側フロント部の上端、吊り下げ部、および外側フロント部と本体部との縫着部によって囲まれる部分に設けられる布は、吊り下げ部よりも伸長性が高いので、肌側フロント部の動きを阻害することはない。この囲まれる部分に布を設けることにより、着用時または脱衣時における足や男性器の引っかかりを低減することが可能となる。
【００１４】
本発明のボトム衣類は、吊り下げ部は、肌側フロント部の中心線から離れる方向に向かって、当該肌側フロント部の上端からウエスト部または縫着部まで延びているものとすることができる。
【００１５】
このボトム衣類によれば、肌側フロント部の上端を押し下げた際の、吊り下げ部とウエスト部と間の空間を広く確保することができるので、吊り下げ部が男性器を出し入れする際の妨げとなることを回避することができる。
【００１６】
本発明のボトム衣類は、外側フロント部の下端は、下方向に凸となるように延在しているものとすることができる。
【００１７】
このボトム衣類によれば、着用状態においても重なり量を確保することができる。
【発明の効果】
【００１８】
このボトム衣類によれば、簡易な手順で男性器全体を出し入れすることが可能となる。
【図面の簡単な説明】
【００１９】
【図１】本発明の第１実施形態に係るボトム衣類の一例としての男性用パンツを前面側から示す正面図である。
【図２】図１の男性用パンツを裏返しにしたときの前面側を示す正面図である。
【図３】図１の男性用パンツを背面側から示す正面図である。
【図４】本発明の第２実施形態に係るボトム衣類の一例としての男性用パンツを前面側から示す正面図である。
【図５】図４の男性用パンツを裏返しにしたときの前面側を示す正面図である。
【図６】図４の男性用パンツを背面側から示す正面図である。
【図７】本発明の他の実施形態に係るボトム衣類の一例としての男性用パンツを裏返しにしたときの前面側を示す正面図である。
【発明を実施するための形態】
【００２０】
以下、図面を参照して本発明の好適な実施形態について詳細に説明する。なお、各図面において同一又は相当の部分に対しては同一の符号を付すこととする。
【００２１】
（第１実施形態）
図１は本発明の第１実施形態に係るボトム衣類の一例としての男性用パンツを前面側から示す正面図、図２は図１の男性用パンツを裏返しにしたときの前面側を示す正面図、図３は図１の男性用パンツを背面側から示す背面図である。なお、第１実施形態において説明のために使用する「前面」とは、着用状態において着用者の胴体の前中心線Ｌ１を中心とする左脇線Ｌ２から右脇線Ｌ３までの範囲をいい、「背面」とは、着用状態において着用者の胴体の後中心線Ｌ４を中心とする左脇線Ｌ２から右脇線Ｌ３までの範囲をいう。また、第１実施形態における「左右方向」は、図１の前面側からみた左右方向として説明する。後述する第２実施形態についても同様とする。
【００２２】
図１および図２に示すパンツ（ボトム衣類）１は、男性器を出し入れ可能な開き部７５が前面に設けられたボクサータイプの男性用パンツであり、ウエスト部１０と、外側フロント部２０と、肌側フロント部３０と、第１本体部４０と、第２本体部５０と、クロッチ部６０とを備えている。
【００２３】
ウエスト部１０は、着用状態において着用者のウエストラインに位置する帯状の部材であり、外側フロント部２０、第１本体部４０、および第２本体部５０の上端２１，４１，５１に沿って延びている。ウエスト部１０は、外側フロント部２０の上端２１、第１本体部４０の上端４１、および第２本体部５０の上端５１に縫着されている。ウエスト部１０に用いる部材としては、ゴム等を含む伸縮性のあるテープ等を例示することができる。
【００２４】
外側フロント部２０および肌側フロント部３０は、着用状態において着用者の下腹部から股部を覆う部分である。外側フロント部２０と肌側フロント部３０とは、前面の一部において互いに重なる重なり部８０を有している。外側フロント部２０および肌側フロント部３０に用いる素材としては、伸縮性を有するベア天竺、ツーウェイトリコット、ツーウェイラッセル等を使用することが好ましい。
【００２５】
外側フロント部２０は、図１に示すように、重なり部８０において肌側フロント部３０の外側に配置されている。外側フロント部２０の上端２１は、ウエスト部１０に縫着されている。外側フロント部２０の左側端２２は第１本体部４０の前側端４２に縫着され、当該左側端２２における下側の一部（後述する縫着部７１ｂに相当）は、肌側に配置されている肌側フロント部３０の左側端３２とも縫着されている。外側フロント部２０の右側端２３は、第２本体部５０の前側端５２に縫着され、当該右側端２３における下側の一部（後述する縫着部７２ｂに相当）は、肌側に配置されている肌側フロント部３０の右側端３３とも縫着されている。
【００２６】
外側フロント部２０の下端２４は、下方向に凸となるように左右方向に延在しており、着用者の男性器を出し入れすることが可能な開き部７５が形成されている。外側フロント部２０の下端２４には、外側フロント部２０の左右方向において外側フロント部２０に用いる素材と同程度以上の伸縮性を有するテープ状部材２４ａが、縫着、接着等により設けられている。
【００２７】
肌側フロント部３０は、図２に示すように、重なり部８０において外側フロント部２０の内側に配置されている。肌側フロント部３０の上端３１は、上方向に凸となるように形成されており、ウエスト部１０や外側フロント部２０に縫着されない実質的な自由端となっている。肌側フロント部３０の上端３１には、肌側フロント部３０の左右方向において肌側フロント部３０に用いる素材と同程度以上の伸縮性を有するテープ状部材３１ａが、縫着、接着等により設けられている。
【００２８】
肌側フロント部３０の左側端３２は第１本体部４０の前側端４２に縫着され、当該左側端３２における上側の一部（後述する縫着部７１ｂに相当）は、外側に配置されている外側フロント部２０の左側端２２とも縫着されている。また、肌側フロント部３０の右側端３３は、第２本体部５０の前側端５２に縫着され、当該右側端３３における上側の一部（後述する縫着部７２ｂに相当）は、外側に配置されている外側フロント部２０の右側端２３とも縫着されている。
【００２９】
肌側フロント部３０の下端３４は、端部を折り返して縫着されている裾部３４ａと、クロッチ部６０に縫着されている股部３４ｂとを有している。
【００３０】
肌側フロント部３０は、上端３１とウエスト部１０とを繋ぐ伸縮性のある２本の吊り下げ部３６，３７によってウエスト部１０に吊り下げられている。一方の吊り下げ部３６は、肌側フロント部３０の上端３１と吊り下げ部３６との縫着位置３６ａから、ウエスト部１０と吊り下げ部３６との縫着位置３６ｂに向かって左上方向に延びている。すなわち、この吊り下げ部３６は、前中心線（肌側フロント部の中心線）Ｌ１から離れる方向に向かって、縫着位置３６ａから縫着位置３６ｂまで伸びている。また、他方の吊り下げ部３７は、肌側フロント部３０の上端３１と吊り下げ部３７との縫着位置３７ａから、ウエスト部１０と吊り下げ部３７との縫着位置３７ｂに向かって右上方向に延びている。すなわち、この吊り下げ部３７も、吊り下げ部３６と同様に、前中心線Ｌ１から離れる方向に向かって、縫着位置３７ａから縫着位置３７ｂまで伸びている。吊り下げ部３６，３７を形成する素材としては、長手方向に伸縮性を有するテープ状部材等を用いることができる。
【００３１】
外側フロント部２０および肌側フロント部３０と、第１本体部４０とは、図１および図２に示すように、接ぎ部７１を形成している。接ぎ部７１は、ウエスト部１０側から順番に、外側フロント部２０と第１本体部４０との縫着部７１ａ、外側フロント部２０および肌側フロント部３０と、第１本体部４０との縫着部７１ｂ、肌側フロント部３０と第１本体部４０との縫着部７１ｃを有しており、ウエスト部１０から肌側フロント部３０および第１本体部４０の下端３４、４４に向けて延在している。
【００３２】
外側フロント部２０および肌側フロント部３０と、第２本体部５０とは、図１および図２に示すように、接ぎ部７２を形成している。接ぎ部７２は、ウエスト部１０側から順番に、外側フロント部２０と第２本体部５０との縫着部７２ａ、外側フロント部２０および肌側フロント部３０と、第２本体部５０との縫着部７２ｂ、肌側フロント部３０と第２本体部５０との縫着部７２ｃを有しており、ウエスト部１０から肌側フロント部３０および第２本体部５０の下端３４、５４に向けて延在している。
【００３３】
第１本体部４０および第２本体部５０は、図１〜図３に示すように、着用状態において着用者の腹部、臀部および大腿部を覆う部分である。第１本体部４０は、前側端４２から左脇線Ｌ２を超えて背面側の後中心線Ｌ４に沿って形成される後側端４３まで延在している。第２本体部５０は、前側端５２から右脇線Ｌ３を超えて背面側の後中心線Ｌ４に沿って形成される後側端５３まで延在している。第１本体部４０の後側端４３と、第２本体部５０の後側端５３とは、後中心線Ｌ４に沿って互いに縫着されている。
【００３４】
第１本体部４０の下端４４は、端部を折り返して縫着されている裾部４４ａと、クロッチ部６０に縫着されている股部４４ｂとを有している。第２本体部５０の下端５４も、第１本体部４０と同様に、端部を折り返して縫着されている裾部５４ａと、クロッチ部６０に縫着されている股部５４ｂとを有している。第１本体部４０および第２本体部５０に用いる素材としては、伸縮性を有するベア天竺、ツーウェイトリコット、ツーウェイラッセル等を使用することが好ましい。
【００３５】
外側フロント部２０の下端２４と肌側フロント部３０との間には、図１に示すように、着用者の男性器を出し入れ可能にする開き部７５が形成されている。開き部７５の左右方向における長さは、渡り寸法（パンツ１を平らな所に置いた状態で、前中心線Ｌ１に対し直交する左右方向において、開き部７５の中央を起点に輪切りにした周囲寸法）の１／５以上、より好ましくは１／４以上であるとよい。開き部７５は、少なくとも一部が肌側フロント部３０と縫着されていない下端２４に形成されているので、着用者は、この外側フロント部２０の下端２４と肌側フロント部３０との布間から男性器を出し入れすることができる。
【００３６】
クロッチ部６０は、着用状態において着用者の股部を覆う部分である。クロッチ部６０は、肌側フロント部３０の下端３４の一部である股部３４ｂと、第１本体部４０の下端４４の一部である股部４４ｂと、第２本体部５０の下端５４の一部である股部５４ｂとに縫着されている。クロッチ部６０に用いる素材としては、伸縮性を有するベア天竺、ツーウェイトリコット、ツーウェイラッセル等を使用することが好ましい。
【００３７】
以下、第１実施形態のパンツ１の特徴的な構成について詳細に説明する。
【００３８】
肌側フロント部３０の上端３１は、図２に示すように、ウエスト部１０および外側フロント部２０に縫着されないで実質的な自由端となっており、肌側フロント部３０は、伸縮性のある吊り下げ部３６，３７によって上端３１の一部３６ａ，３７ａとウエスト部１０の一部３６ｂ，３７ｂとがつながれ、ウエスト部１０に吊り下げられた構成となっている。吊り下げ部３６，３７が長手方向に伸びやすく構成されているので、肌側フロント部３０の上端３１の位置を、外側フロント部２０の下端２４の位置よりも大きく下方に移動させることができる。これにより、外側フロント部２０と肌側フロント部３０との間に上下方向の空間を大きく確保することができ、着用者は陰嚢を含めた男性器全体を開き部７５から出し入れすることが容易となる。
【００３９】
肌側フロント部３０は、左右側端３２，３３が第１・第２本体部４０，５０の前側端４２，５２にそれぞれ縫着されているので、上述したように上端３１の位置を大きく下方に移動させた場合であっても、クロッチ部６０に近い下方の部分において男性器を保持する状態が維持される。これにより、着用者は、男性器を手で支持しなくても、開き部７５から男性器を出した状態を維持することができる。
【００４０】
肌側フロント部３０は、伸縮性のある吊り下げ部３６，３７によってウエスト部１０と一体となるよう縫着されている。このため、ウエスト部１０を引き上げると肌側フロント部３０も連動して引き上げられる。これにより、着用者は、肌側フロント部３０を、ウエスト部１０を引き上げるという操作だけで、押し下げる前の位置にまで戻すことができる。この結果、簡易な手順で男性器を元の位置に戻すことができる。
【００４１】
肌側フロント部３０は、伸縮性を有する吊り下げ部３６，３７によってウエスト部１０に吊り下げられる構成となっているので、吊り下げ部を介さずに単に上端が他の部分（例えば、ウエスト部や外側フロント部）に縫着されている構成のものと比べて下方に伸びやすい。このため、通常の着用状態において、肌側フロント部３０は、自然な状態で男性器を保持することが可能となる。また、肌側フロント部３０の上端３１を押し下げて開き部７５から男性器を出した状態においても、肌側フロント部３０は、尿道を圧迫しない程度の自然な状態で男性器を支持することができる。さらに、吊り下げ部３６，３７および肌側フロント部３０の形状を前中心線Ｌ１に対して左右対称とすることにより、より自然な状態で男性器を保持あるいは維持することができる。
【００４２】
外側フロント部２０の下端２４は、パンツ１を平らな所に置いた状態（未着用の状態）で、下方向に凸（ウエスト部１０とは反対側に凸）となるように形成されている。上記パンツ１を着用した場合には、未着用のときと比べて、外側フロント部２０は上方に移動し、肌側フロント部３０は下方に移動するので、外側フロント部２０と肌側フロント部３０との重なり量（上下方向における重なり長さ）が小さくなる。本実施形態においては、外側フロント部２０の下端２４が下方向に凸に形成されているので、外側フロント部２０と肌側フロント部３０とが上述するように互いに移動したとしても、重なり量を確保することができる。
【００４３】
次に、上記のように構成された男性用パンツ１の着用者が、男性器を出し入れする際の作用効果について図１および図２を用いて説明する。
【００４４】
開き部７５を使って男性器を出し入れする際、着用者は、まず、図１に示す外側フロント部２０の下端２４と肌側フロント部３０との布間（開き部７５）からに手を入れて、外側フロント部２０の内側に配置された肌側フロント部３０の上端３１の一部分３１ｂを指で掴んだり、引っ掛けたりする。
【００４５】
次に、着用者は、この上端の一部分３１ｂを下方向に引っ張って、肌側フロント部３０の上端３１を外側フロント部２０の下端２４の位置よりも下の位置まで押し下げる。肌側フロント部３０の上端３１は、ウエスト部１０および外側フロント部２０に縫着されていない実質的な自由端であり、肌側フロント部３０は、伸縮性のある吊り下げ部３６，３７によって吊り下げられているので、着用者はこの上端３１を外側フロント部２０の下端２４の位置よりも下の位置にまで容易に大きく押し下げることができる。着用者は、肌側フロント部３０の上端３１を押し下げて、外側フロント部２０と肌側フロント部３０との間に大きく形成された上下方向の空間から男性器の出し入れをする。このように、着用者は、大きく形成された空間から男性器を出し入れするので、陰嚢を含めた男性器全体を容易に出し入れすることができる。また、この構成よれば、小用時における陰茎の下部の尿道に対する圧迫も低減できる。
【００４６】
特に、着用者が加齢による機能の衰え等が原因で排尿後に慢性的に尿が残る症状を抱える者（以下、「上記症状を有する者」と示す）である場合、男性器全体を開き部７５から容易に出せるので、尿道に残った尿を陰嚢の下から手で搾り出すようして排尿することが容易にできるようになる。このため、上記症状を有する者は、パンツを膝上まで下げることなく、開き部７５から男性器全体を出して、小便器の前に立った状態で上記搾り出しをすることができる。
【００４７】
また、着用者が、肌側フロント部３０の上端３１を下方に押し下げたときであっても、肌側フロント部３０の下方部分は安定した状態が維持されるので、着用者は男性器を手で支えなくても、開き部７５から男性器を出した状態を維持することができる。このことは、特に上記症状を有する者が、両手を使用して尿道に残った尿を陰嚢の下から搾り出すことが容易に可能となる点において効果を発揮する。
【００４８】
排尿後においては、着用者は、肌側フロント部３０の上端３１の一部分３１ｂから指を離し、今度は、ウエスト部１０の一部１０ａを指で掴んで上方に引き上げる。肌側フロント部３０は、伸縮性のある吊り下げ部３６，３７によってウエスト部１０と一体となるよう縫着されているので、ウエスト部１０に引き上げに伴い肌側フロント部３０も引き上げられて元の位置に戻る。これにより、簡易な手順で男性器を元の位置に収めることが可能となる。
【００４９】
（第２実施形態）
次に、本発明の第２実施形態について、図４〜図６を用いて説明する。図４は本発明の第２実施形態に係るボトム衣類の一例としての男性用パンツを前面側から示す正面図、図５は図４の男性用パンツを裏返しにしたときの前面側を示す正面図である。図６は図４の男性用パンツを背面側から示す背面図である。
【００５０】
第２実施形態の男性用パンツ１０１（ボトム衣類）が上述の男性用パンツ１と異なる点は、図４〜図６に示すように、外側フロント部１２０の下端１２４の形状と、肌側フロント部１３０の形状とである。ここでは、上記第１実施形態に記載の男性用パンツ１と同一又は同等のウエスト部１０、第１本体部４０、第２本体部５０、およびクロッチ部６０については、同じ参照番号を付してその説明を省略し、当該男性用パンツ１と異なる構成について説明する。
【００５１】
外側フロント部１２０および肌側フロント部１３０は、着用状態において着用者の下腹部から股部を覆う部分である。外側フロント部１２０と肌側フロント部１３０とは、前面の一部において互いに重なる重なり部１８０を有している。
【００５２】
外側フロント部１２０は、図４に示すように、重なり部１８０において肌側フロント部１３０の外側に配置されている。外側フロント部１２０に用いる素材としては、伸縮性を有するベア天竺、ツーウェイトリコット、ツーウェイラッセル等を使用することが好ましい。外側フロント部１２０の上端１２１は、ウエスト部１０に縫着されている。外側フロント部１２０の左側端１２２は第１本体部４０の前側端４２に縫着され、当該左側端１２２における下側の一部（後述する縫着部１７１ｂに相当）は、肌側に配置されている肌側フロント部１３０の左側端１３２とも縫着されている。外側フロント部１２０の右側端１２３は、第２本体部５０の前側端５２に縫着され、当該右側端１２３における下側の一部（後述する縫着部１７２ｂに相当）は、肌側に配置されている肌側フロント部１３０の右側端１３３とも縫着されている。
【００５３】
外側フロント部１２０の下端１２４は、上方向に凸となるように左右方向に延在している。外側フロント部１２０の下端１２４には、外側フロント部１２０の左右方向において外側フロント部１２０に用いる素材と同程度以上の伸縮性を有するテープ状部材１２４ａが、縫着、接着等により設けられている。
【００５４】
肌側フロント部１３０は、図５に示すように、重なり部１８０において外側フロント部１２０の内側に配置されている。肌側フロント部１３０の上端１３１は、上方向に凸となるように形成されており、ウエスト部１０および外側フロント部１２０に縫着されない実質的な自由端となっている。肌側フロント部１３０は、２枚の生地による二重構造とされており、その上端１３１は、２枚の生地を袋縫いすることにより処理されている。
【００５５】
肌側フロント部１３０の左側端１３２は第１本体部４０の前側端４２に縫着され、当該左側端１３２における上側の一部（後述する縫着部１７１ｂに相当）は、外側に配置されている外側フロント部１２０の左側端１２２とも縫着されている。また、肌側フロント部１３０の右側端１３３は、第２本体部５０の前側端５２に縫着され、当該右側端１３３における上側の一部（後述する縫着部１７２ｂに相当）は、外側に配置されている外側フロント部１２０の右側端１２３とも縫着されている。
【００５６】
肌側フロント部１３０の下端１３４は、端部を折り返して縫着されている裾部１３４ａと、クロッチ部６０に縫着されている股部１３４ｂとを有している。
【００５７】
肌側フロント部１３０は、上端１３１と後述する接ぎ部１７１，１７２とを繋ぐ２本の吊り下げ部１３６，１３７によって吊り下げられている。吊り下げ部１３６，１３７は、肌側フロント部１３０から一連する部分として形成されている。
【００５８】
一方の吊り下げ部１３６は、肌側フロント部１３０の上端１３１の左方から、接ぎ部１７１に向かって左上方向に延びている。すなわち、この吊り下げ部１３６は、前中心線Ｌ１から離れる方向に向かって、肌側フロント部１３０の上端１３１から縫着位置１３６ｂまで伸びている。また、他方の吊り下げ部１３７は、肌側フロント部１３０の上端１３１の右方から、接ぎ部１７２に向かって右上方向に延びている。すなわち、この吊り下げ部１３７も、吊り下げ部１３６と同様に、前中心線Ｌ１から離れる方向に向かって、肌側フロント部１３０の上端１３１から縫着位置１３７ｂまで伸びている。吊り下げ部１３６、１３７の長手方向における端部は、接ぎ部１７１、１７２に縫着され、側部は袋縫いすることにより処理されている。
【００５９】
外側フロント部１２０および肌側フロント部１３０と、第１本体部４０とは、図４および図５に示すように、接ぎ部１７１を形成している。接ぎ部１７１は、ウエスト部１０側から順番に、外側フロント部１２０と第１本体部４０との縫着部１７１ａ、外側フロント部１２０および肌側フロント部１３０と、第１本体部４０との縫着部１７１ｂ、肌側フロント部１３０と第１本体部４０との縫着部１７１ｃを有しており、ウエスト部１０から肌側フロント部１３０および第１本体部４０の下端１３４、４４に向けて延在している。
【００６０】
外側フロント部１２０および肌側フロント部１３０と、第２本体部５０とは、図４および図５に示すように、接ぎ部１７２を形成している。接ぎ部１７２は、ウエスト部１０側から順番に、外側フロント部１２０と第２本体部５０との縫着部１７２ａ、外側フロント部１２０および肌側フロント部１３０と、第２本体部５０との縫着部１７２ｂ、肌側フロント部１３０と第２本体部５０との縫着部１７２ｃを有しており、ウエスト部１０から肌側フロント部１３０および第２本体部５０の下端１３４、５４に向けて延在している。
【００６１】
外側フロント部１２０の下端１２４と肌側フロント部１３０との間には、着用者の男性器を出し入れすることが可能な開き部１７５が形成されている。開き部１７５の左右方向における長さは、渡り寸法（パンツ１０１を平らな所に置いた状態で、前中心線Ｌ１に対し直交する左右方向において、開き部１７５の中央を起点に輪切りにした周囲寸法）の１／５以上より好ましくは１／４以上であるとよい。少なくとも一部が肌側フロント部１３０に縫着されていない下端１２４と肌側フロント部１２０との間の隙間が、開き部１７５を形成するので、着用者は、外側フロント部１２０と肌側フロント部１３０との布間から男性器を出し入れすることができる。
【００６２】
以下、第２実施形態のパンツ１０１の特徴的な構成について詳細に説明する。
【００６３】
肌側フロント部１３０の上端１３１は、図５に示すように、ウエスト部１０および外側フロント部１２０に縫着されない実質的な自由端となっており、肌側フロント部１３０は、伸縮性のある吊り下げ部１３６，１３７によって上端１３１の一部１３６ａ，１３７ａと接ぎ部１７１，１７２の一部１３６ｂ、１３７ｂとがそれぞれつながれ、接ぎ部１７１，１７２に吊り下げられている。吊り下げ部１３６，１３７は伸縮性のある素材によって構成されているので、第１実施形態のパンツ１と同様に、肌側フロント部１３０の上端１３１の位置を、外側フロント部１２０の下端１２４の位置よりも大きく下方に移動させることが可能となっている。これにより、外側フロント部１２０と肌側フロント部１３０との間に上下方向の空間を大きく確保することができ、着用者は陰嚢を含めた男性器全体を開き部１７５から出し入れすることが容易となる。
【００６４】
また、肌側フロント部１３０は、第１実施形態のパンツ１と同様に、左右側端１３２，１３３が第１・第２本体部４０，５０の前側端４２，５２に縫着されている。このため、ので、上述したように肌側フロント部１３０の上端１３１の位置を大きく下方に移動させた場合であっても、クロッチ部６０に近い下方の部分において男性器を保持する状態が維持される。これにより、着用者は、男性器を手で支持しなくても、開き部１７５から男性器を出した状態を維持することができる。
【００６５】
また、肌側フロント部１３０は、伸縮性のある吊り下げ部１３６によって、外側フロント部１２０と第１本体部４０とが縫着される接ぎ部１７１の一部１７１ａに縫着されている。そして、外側フロント部１２０および第１本体部４０のそれぞれの上端１２１，４１は、ウエスト部１０に縫着されている。このため、ウエスト部１０に引き上げると肌側フロント部１３０も連動して引き上げられる。これにより、着用者は、肌側フロント部１３０を、ウエスト部１０を引き上げるという操作だけで、押し下げる前の位置にまで戻すことができる。この結果、簡易な手順で男性器を元の位置に戻すことができる。
【００６６】
また、肌側フロント部１３０は、第１実施形態のパンツ１と同様に、伸縮性を有する吊り下げ部１３６，１３７によって接ぎ部１７１，１７２に吊り下げられる構成となっている。これにより、通常の着用状態においても、また、肌側フロント部１３０の上端１３１を押し下げて開き部１７５から男性器を出した状態においても、第１の実施形態のパンツ１と同様の効果を得ることができる。
【００６７】
次に、上記のように構成された男性用パンツ１０１の着用者が、男性器を出し入れする際の作用効果について図４および図５を用いて説明する。
【００６８】
開き部１７５を使って男性器を出し入れする際、着用者は、まず、図４に示す外側フロント部１２０の下端１２４と肌側フロント部１３０との布間から手を入れて、外側フロント部１２０の内側に配置された肌側フロント部１３０の上端１３１の一部分１３１ｂを指で掴んだり、引っ掛けたりする。
【００６９】
次に、着用者は、この上端の一部分１３１ｂを下方向に引っ張って、肌側フロント部１３０の上端１３１を外側フロント部１２０の下端１２４の位置よりも下の位置まで押し下げる。肌側フロント部１３０の上端１３１は、ウエスト部１０および外側フロント部１２０に縫着されていない実質的な自由端であり、肌側フロント部１３０は、伸縮性のある吊り下げ部１３６，１３７によって吊り下げられているので、着用者はこの上端１３１を外側フロント部１２０の下端１２４の位置よりも下の位置にまで容易に大きく押し下げることができる。着用者は、肌側フロント部１３０の上端１３１を押し下げて、外側フロント部１２０と肌側フロント部１３０との間に大きく形成された上下方向の空間から男性器の出し入れをする。このように、着用者は、大きく形成された空間から男性器を出し入れするので、陰嚢を含めた男性器全体を容易に出し入れすることができる。また、着用者が加齢による機能の衰え等が原因で排尿後に慢性的に尿が残る症状を抱える者である場合に享受できる効果も、第１実施形態のパンツ１と同様である。
【００７０】
排尿後においては、着用者は、肌側フロント部１３０の上端１３１の一部分１３１ｂから指を離し、今度は、ウエスト部１０の一部１０ａを指で掴んで上方に引き上げる。肌側フロント部１３０は、上述したように、外側フロント部１２０または第１・第２本体部４０，５０を介してウエスト部１０に縫着されているので、ウエスト部１０に引き上げに伴い肌側フロント部１３０も引き上げられて元の位置に戻る。これにより、簡易な手順で男性器を元の位置に収めることが可能となる。
【００７１】
以上、本発明の一実施形態について説明したが、本発明は上記実施形態に限られるものではなく、発明の趣旨を逸脱しない範囲で種々の変更が可能である。
【００７２】
上記第１実施形態のパンツ１では、肌側フロント部３０が吊り下げ部３６，３７によって、ウエスト部１０に吊り下げられている例を挙げて説明したがこれに限定されるものではなく、接ぎ部７１，７２に吊り下げられる構成であってもよい。また、上記第２実施形態のパンツ１０１では、肌側フロント部１３０が吊り下げ部１３６，１３７によって、接ぎ部１７１，１７２に吊り下げられている例を挙げて説明したがこれに限定されるものではなく、ウエスト部１０に吊り下げられる構成であってもよい。
【００７３】
上記第１実施形態のパンツ１では、図２に示すように、肌側フロント部３０の上端３１、吊り下げ部３６、ウエスト部１０、および接ぎ部７１の一部である縫着部７１ａによって囲まれる部分には、他の部材が設けられておらず、図２の正面側からみて開口している構成を例に挙げて説明したがこれに限定されるものではない。例えば、図７に示すように、上述の開口している部分（斜線部）に、吊り下げ部３６よりも伸長性が高い布等の部材３８が縫着、接着等により設けられていてもよい。この部材３８は、吊り下げ部３６よりも伸長性が高いので、肌側フロント部３０の動きを阻害することはなく、着用時または脱衣時において足や男性器が上記開口部分に引っかかることを低減することができる。
【００７４】
また、図７に示すように、肌側フロント部３０の上端３１、吊り下げ部３７、ウエスト部１０、および接ぎ部７２の一部である縫着部７２ａによって囲まれる部分も上記と同様の構成とすることができる。また、図示はしないが、上記第２実施形態のパンツ１０１についても同様、肌側フロント部１３０の上端１３１、吊り下げ部１３６、および接ぎ部１７１の一部である縫着部１７１ａによって囲まれる部分、肌側フロント部１３０の上端１３１、吊り下げ部１３７、および接ぎ部１７２の一部である縫着部１７２ａによって囲まれる部分も上記と同様の構成とすることができる。
【００７５】
上記実施形態のパンツ１，１０１においては、吊り下げ部３６，３７，１３６，１３７として、テープ状部材、または、肌側フロント部と一体に伸縮性生地によって形成される例を挙げて説明したがこれに限定されるものではない。例えば、吊り下げ部は、肌側フロント部よりも伸縮性の高い布によって形成することもできる。また、第２実施形態のように吊り下げ部を肌側フロント部からの一連の部分として形成する場合において、吊り下げ部の長手方向に沿った上端側を折り返して、当該折り返し部に伸縮性のある部材を格納する構成としてもよい。
【００７６】
また、上記実施形態のパンツ１，１０１におけるウエスト部１０は、図示はしないが、伸縮性のある上辺布で構成されるようなものであってもよい。また、図示はしないが、袋状にした生地とする構成、袋状にした生地の中にゴムを入れる構成、端始末不要な生地を用いる構成、としてもよい。また、幅広ウエストテープとする構成、ニッパーのような保護ベルトを付帯する構成、腹巻機能の付いたウエスト部とする構成等のハイウエストタイプとしてもよい。
【００７７】
また、上記実施形態のパンツ１，１０１における裾部は、端部を折り返して縫着したが、折り返し部に伸縮性のある部材を格納する構成としてもよく、端始末不要な生地を用いてもよい。
【００７８】
また、上記実施形態のパンツ１、１０１では、外側フロント部２０，１２０および肌側フロント部３０，１３０の左右側端に配置される部分として、第１本体部４０および第２本体部５０の２枚の布を配置する例を挙げて説明したがこれに限定されるものではない。例えば、図示はしないが、第１本体部４０および第２本体部５０に該当する部分を１枚の布として構成してもよいし、第１本体部４０と第２本体部５０との間に臀部を覆う部分である第３本体部を配置してもよい。
【００７９】
上記第１実施形態のパンツ１では、パンツ１を平らな所に置いた状態において、外側フロント部２０の下端２４が下方向に凸（ウエスト部１０と反対側に凸）となるように左右方向に延在している例を挙げて説明したがこれに限定されるものではなく、上方向に凸（ウエスト部１０側に凸）となるように延在していてもよいし、直線状に延在していてもよい。また、上記第２実施形態のパンツ１０１では、パンツ１０１を平らな所に置いた状態において、外側フロント部１２０の下端１２４が上方向に凸（ウエスト部１０と反対側に凸）となるように左右方向に延在している例を挙げて説明したがこれに限定されるものではなく、下方向に凸（ウエスト部１０側に凸）となるように延在していてもよいし、直線状に延在していてもよい。
【００８０】
また、上記実施形態のパンツ１，１０１では、外側フロント部２０，１２０の下端２４，１２４に沿って伸縮性のあるテープ状部材２４ａ，１２４ａが設けられる例を挙げて説明したが、テープ状部材２４ａ，１２４ａを設けずに下端２４，１２４を形成してもよいし、端部を折り返して縫着することにより下端２４，１２４を形成したりしてもよい。また、肌側フロント部３０，１３０の上端３１，１３１についても同様の構成とすることができる。
【００８１】
また、上記実施形態は、本願発明をボクサータイプの男性用パンツに適用した例を挙げて説明したがこれに限定されるものではなく、ブリーフ、左右の脚部の長さを更に下方に伸ばしたロングタイプのパンツ、タイツ、ステテコ、トランクス等に適用することもできる。
【００８２】
さらに、本願発明は、日常履きのパンツ等に適用できるだけではなく、スポーツ時のコンディションを整えるようなボトム、スタイルサイエンス技術を取り入れたボトム、一般的な補整機能を有するボトム等に適用することができ、また、各ボトムのショートタイプ、ロングタイプにも適用することもできる。この場合には、上記実施形態における外側フロント部２０，１２０、肌側フロント部３０，１３０、第１本体部４０、第２本体部５０、およびクロッチ部６０に該当する部分の素材として、例えば、ツーウェイラッセル、ツーウェイトリコット、ダブルラッセル等を用いた経編素材を用いることが好ましい。
【００８３】
日常履きのパンツ等に使用される素材よりもパワーの強い、ツーウェイラッセル等を用いた経編素材によって構成されるボトムに本願発明を適用することで、開き部を使用した男性器全体の出し入れが更に簡易となる。また、小用時における陰茎の下部の尿道に対する圧迫を低減できるという効果も、更に高いものになると考えられる。
【符号の説明】
【００８４】
１，１０１…男性用パンツ（ボトム衣類）、１０…ウエスト部、２０，１２０…外側フロント部、２１，１２１…外側フロント部の上端、２２，１２２…左側端、２３，１２３…右側端、２４，１２４…外側フロント部の下端、２４ａ，１２４ａ…テープ状部材、３０，１３０…肌側フロント部、３１，１３１…肌側フロント部の上端、３１ａ…テープ状部材、３２，１３２…左側端、３３，１３３…右側端、３４，１３４…肌側フロント部の下端、３４ａ，１３４ａ…裾部、３４ｂ，１３４ｂ…股部、３６，３７，１３６，１３７…吊り下げ部、４０…第１本体部、４１…第１本体部の上端、４２…第１本体部の前側端、４３…第１本体部の後側端、４４…第１本体部の下端、４４ａ…裾部、４４ｂ…股部、５０…第２本体部、５１…第２本体部の上端、５２…第２本体部の前側端、５３…第２本体部の後側端、５４…第２本体部の下端、５４ａ…裾部、５４ｂ…股部、６０…クロッチ部、７１，７２…接ぎ部、７１ａ，７１ｂ，７１ｃ，７２ａ，７２ｂ，７２ｃ…縫着部、７５，１７５…開き部、８０，１８０…重なり部。
【図１】
0005732908.tif 000002
【図２】
0005732908.tif 000003
【図３】
0005732908.tif 000004
【図４】
0005732908.tif 000005
【図５】
0005732908.tif 000006
【図６】
0005732908.tif 000007
【図７】
0005732908.tif 000008